(57)【要約】【課題】半導体式光センサのショート故障時のみ、これ以上下がらない飽和電圧値以下となる特性を利用して確実にショート故障検知が出来る炎検知装置を提供する。【解決手段】燃焼器１の燃焼火炎からの光を受けることで電流値が変化する半導体式光センサ６を備え、更にこの電流値の変化を電圧値の変化に変換する電流電圧変換回路１８と、この電流電圧変換回路１８からの電圧値と予め設定された判定基準電圧とを比較することにより、火炎の有無を判定する火炎検知装置であって、前記判定基準電圧にはショート故障判定電圧も設け、更にこのショート故障判定電圧を半導体式光センサ６の正常検知最低電圧で、これ以上下がらない飽和電圧値以下としたので、ショート故障を明るさに関係なく明確に他と区別して確実に検知することが出来るものである。【選択図】図４
2009168384.tif 000002
【特許請求の範囲】
【請求項１】
燃焼器の燃焼火炎からの光を受けることで電流値が変化する半導体式光センサを備え、更にこの電流値の変化を電圧値の変化に変換する電流電圧変換回路と、この電流電圧変換回路からの電圧値と予め設定された判定基準電圧とを比較することにより、火炎の有無を判定する火炎検知装置であって、前記判定基準電圧にはショート故障判定電圧も設け、更にこのショート故障判定電圧を半導体式光センサの正常検知最低電圧で、これ以上下がらない飽和電圧以下とした事を特徴とする火炎検知装置。
【発明の詳細な説明】
【技術分野】
【０００１】
この発明は、火炎の有無と共に自身のショート故障も確実に検知する火炎検知装置に関するものである。
【背景技術】
【０００２】
従来よりこの種のものでは、ｃｄｓ炎検出センサにより明るさに応じて変化する抵抗値を利用し、着火は着火判定基準値に達したか、又消火は消火判定基準値に達したかと言うことで、各基準値との比較で検知するものであった。（例えば、特許文献１参照。）
【特許文献１】特開平５−２４０４２４号公報
【発明の開示】
【発明が解決しようとする課題】
【０００３】
ところでこの従来のものでは、着火の明るさが増せば増すほど抵抗値が小さくなり、又ｃｄｓ炎検出センサがショート故障した時も抵抗値は小さくなるので、着火とショート故障とを区別して検出することは出来ないものであった。
又近年環境問題からｃｄｓ炎検出センサから半導体式光センサ（フォトＩＣダイオード）が使用されるようになって来たが、この半導体式光センサもまた着火の明るさが増せば増すほど電圧値が小さくなり、ショート故障した時も電流値が小さくなるので、着火とショート故障とを区別して検出することは出来ないと言う問題点を有するものであった。
【課題を解決するための手段】
【０００４】
この発明はこの点に着目し上記欠点を解決するため、特にその構成を、燃焼器の燃焼火炎からの光を受けることで電流値が変化する半導体式光センサを備え、更にこの電流値の変化を電圧値の変化に変換する電流電圧変換回路と、この電流電圧変換回路からの電圧値と予め設定された判定基準電圧とを比較することにより、火炎の有無を判定する火炎検知装置であって、前記判定基準電圧にはショート故障判定電圧も設け、更にこのショート故障判定電圧を半導体式光センサの正常検知最低電圧で、これ以上下がらない飽和電圧以下としたものである。
【発明の効果】
【０００５】
以上のようにこの発明によれば、着火とショート故障を区別して検知することが出来、ショート故障時には燃焼を停止させて安全を確保することが出来るものであり、安心して使用することが出来、更にこのショート故障検知電圧を、半導体式光センサの特性で正常検知最低電圧であり、これ以上下がらない飽和電圧以下としたことで、ショート故障を明るさに関係なく明確に他と区別して確実に検知することが出来るものである。
【発明を実施するための最良の形態】
【０００６】
次にこの発明の炎検知装置を給湯機で実施した一実施形態に基づいて説明する。
１はガンタイプバーナからなる給湯機の燃焼器で、燃料噴霧用のノズル２と燃焼空気供給用の送風機３と、点火電極４とこの点火電極４をスパークさせるイグナイタ５と、燃焼火炎からの光を受けることで電流値が変化して火炎を検知するフォトＩＣダイオードからなる半導体式光センサ６が備えられている。
【０００７】
７はノズル２に燃料の灯油を供給する電磁ポンプで、油電磁弁８や油比例弁９を有したリターン方式の送油経路１０に備えられ燃焼器１を比例燃焼させるものである。
１１は途中に前記燃焼器１の燃焼による燃焼熱と熱交換する熱交換器１２を備えた給湯回路で、給水側には給水温度を検知する給水サーミスタ１３と、水流を検知するフローセンサ１４とが備えられ、給湯側には給湯温度を検知する給湯サーミスタ１５が備えられている。１６は給湯回路が巻回した燃焼缶体で、排気筒１７と連通して燃焼排気を排出している。
【０００８】
１８は前記半導体式光センサ６による火炎検知で変動する電流値を電圧値に変換する電流電圧変換回路で、検知した電圧値は判定処理部１９へ入力させ、又この判定処理部１９には判定基準記憶部２０から予め記憶された基準電圧値が供給されて、検知された電圧値とこの基準電圧値とを比較して、その結果を給湯制御部２１に出力するものであり、この電流電圧変換回路１８及び判定処理部１９及び判定基準記憶部２０及び給湯制御部２１は１つマイコン２２によって構成されている。
【０００９】
更に半導体式光センサ６の検知電圧値は、火炎のない暗い状態では高く４〜５Ｖで炎無しとし、４Ｖ未満の所に境界線が引かれており、又火炎がある明るい状態では検知電圧値は低く３〜２Ｖで炎有りとし、前記の４Ｖ未満の境界線の下側としているもので、２〜１Ｖの所は飽和電圧領域で明るさを増してもこれ以上は電圧値が低下しない領域であが、炎検知では炎有りとなるものであり、半導体式光センサ６のショート故障で唯一この１Ｖ未満で０Ｖに達しない電圧値に下がるもので、この１Ｖ未満をショート故障電圧値としているものである。
【００１０】
そしてこの半導体式光センサ６で炎有りを検知すれば、給湯制御部２１を介して燃焼器１の燃焼を継続させ、炎無しでは給湯制御部２１を介して送風機３や電磁ポンプ７の駆動を停止させて燃焼器１の燃焼を停止させるものであり、又半導体式光センサ６のショート故障を検知すると、炎無しと同じく給湯制御部２１を介して燃焼を停止させると共に、リモコン等の表示部２３にショート故障である旨を表示させて報知するものである。
【００１１】
次にこの一実施形態の作動について、図４に示すフローチャートに基づいて説明すれば、給湯回路９の流水をフローセンサ１４が検知することで（ステップ２４）、ＹＥＳでステップ２５に進み燃焼器１でイグナイタ５による点火電極４のスパークと、電磁ポンプ７の駆動によるノズル２からの燃油の噴霧で燃焼が開始され、そしてステップ２６では半導体式光センサ６による炎検知の電圧値が４Ｖ未満かを判断し、ＮＯでは４Ｖ以上と言うことで炎無しでステップ２７で燃焼を停止し、ＹＥＳではステップ２８に進んで炎検知の電圧値が１Ｖ未満かを判断して、ＮＯでは３〜１Ｖであると判断して炎有りでステップ２９で燃焼を継続し、ＹＥＳで１Ｖ未満で０Ｖに達しない電圧値で半導体式光センサ６のショート故障であるとして、ステップ３０に進んで燃焼を停止させると共に、半導体式光センサ６のショート故障であることを表示して報知するものである。
【００１２】
一方給湯では、燃焼器１の燃焼による燃焼熱で熱交換器１２が加熱されることで、該熱交換器１２内を流通する流水が温水となり、この温水が給湯設定温度になるように給湯サーミスタ１５による検知温度に応じて、燃焼器１の燃焼量を制御して常に良好な給湯が行えるようにするものである。
【００１３】
従って、上記のような炎検知が行われることにより、炎の有り無しだけでなく、半導体式光センサ６自身の特性である、どのように明るさが増しても炎検知電圧値が飽和電圧値以下には下がらないが、唯一ショート故障時のみこの飽和電圧値を越えて低下する電圧値により、半導体式光センサ６のショート故障も検知するようにしたことで、炎の有無は勿論ショート故障も確実に検知し、機器の安全を確保出来、長期に渡って安心して使用出来るようにしたものである。
【図面の簡単な説明】
【００１４】
【図１】この発明の一実施形態の炎検知装置を備えた給湯機の概略構成図。
【図２】同要部電気回路のブロック図。
【図３】同炎検知の電圧値を示す比較図。
【図４】同炎検知のフローチャート。
【符号の説明】
【００１５】
１  燃焼器
６  半導体式光センサ
１８  電流電圧変換回路
１９  判定処理部
２０  判定基準記憶部
２１  給湯制御部
【図１】
2009168384.tif 000003
【図２】
2009168384.tif 000004
【図３】
2009168384.tif 000005
【図４】
2009168384.tif 000006